(57)【要約】      （修正有）【課題】介護者等の負担を減らし、且つ、使用時にマットレスから外れ難く、しかも、患者がマットレス上に横たわったときに良好な使用感が得られるマットレス用保護カバーを提供する。【解決手段】一枚の防水性ポリマーシートで形成する。マットレス１０の上面を覆う表面部２と、表面部２外周縁に一体に連続しマットレス１０の外側面を覆う側面部３とを備える。表面部２及び側面部３により裏側に開口する収容部が形成されている。収容部にマットレス１０が収容される。【選択図】図１
0003165593.tif 000002
【実用新案登録請求の範囲】
【請求項１】
患者の寝姿勢時の身長方向に沿って延びるマットレスを覆って保護するマットレス用保護カバーであって、
一枚の防水性ポリマーシートで形成され、
上記マットレスの上面を覆う表面部と、該表面部外周縁に一体に連続し上記マットレスの外側面を覆う側面部とを備え、上記表面部及び側面部により裏側に開口する収容部が形成され、該収容部に上記マットレスが収容されるようになっていることを特徴とするマットレス用保護カバー。
【請求項２】
請求項１に記載のマットレス用保護カバーであって、
上記マットレスの長手方向両端部に対応する側面部の端縁には、上記マットレス下面を覆う折返部が一体に連続して設けられていることを特徴とするマットレス用保護カバー。
【請求項３】
請求項１又は２に記載のマットレス用保護カバーであって、
上記側面部は、上記マットレスの長手方向両端部で該長手方向と直交する幅方向に延びる一対の第１側面部と、上記マットレスの上記幅方向両端部で長手方向に延びる一対の第２側面部とからなり、
上記第１側面部の上記幅方向両端部と上記第２側面部の上記長手方向両端部とを互いに重ね合わせて当該重合部分を固定していることを特徴とするマットレス用保護カバー。
【請求項４】
請求項３に記載のマットレス用保護カバーであって、
上記第１側面部及び上記第２側面部は、上下の複数箇所で互いに溶着されていることを特徴とするマットレス用保護カバー。
【考案の詳細な説明】
【技術分野】
【０００１】
本考案は、例えば、介護施設等で使用されるマットレスを覆うマットレス用保護カバーに関する。
【背景技術】
【０００２】
一般的に、介護施設等では、ベッド等に横たわる患者の褥瘡を防止するために、柔らかいウレタンフォームを用いて形成された体圧分散性の高いマットレスや、独立した複数のセルが患者の寝姿勢時の身長方向に並設され、各セルの膨張・収縮により横たわった患者に対して押圧と押圧の解除とを繰り返し、体圧の分散を行うエアマットレスがベッドに載置されて使用されている。
【０００３】
ところで、上記マットレス上で患者が失禁した場合、当該マットレス内のウレタンフォームやセルへの尿の染み込みや臭いの付着を防ぐために、例えば、特許文献１では、マットレスの上に脱臭用ウレタンフォームを敷設するとともに、該脱臭用ウレタンフォームの上に、柔軟性、通気性及び撥水性を備えた失禁用シートを敷設するようになっていて、これら、マットレス、脱臭用ウレタンフォーム及び失禁用シートを布シートで覆って使用するようになっている。
【先行技術文献】
【特許文献】
【０００４】
【特許文献１】特開平３−１０３２５７号公報（第４頁、図１〜図４）
【考案の概要】
【考案が解決しようとする課題】
【０００５】
しかし、特許文献１の場合、１回の失禁で布シート及び失禁用シートに尿が染み込んでしまうので、失禁のたびに布シート及び失禁用シートを取り替え、これら各シートを洗って干さなければならず、しかも、少なくとも布シートと失禁用シートの２枚はマットレスから取り外さなければならないので非常に煩雑で介護者等に負担がかかる。また、特許文献１で用いられる布シートは伸縮性がないため、該布シートの外周縁にゴムバンドやゴムベルトを追加してマットレスに上記布シートを固定するようにしておかなければ、患者がマットレスに横たわったときや介護用ベッドで背上げ等を行ったときに患者の形状やマットレスの形状に沿って変形せず、体圧分散性を低下させてしまったり、布シートがマットレスから外れてしまうという懸念がある。さらに、特許文献１では、マットレスの上面に、脱臭用ウレタンフォーム、失禁用シート及び布シートが３層が互いに固定されずに重ねられているだけなので、上記介護用ベッドの背上げ等の動作で、互いのシートの相対位置がずれてしまい、患者の使用感を悪くする可能性がある。
【０００６】
本考案は、斯かる点に鑑みてなされたものであり、その目的とするところは、介護者等の負担を減らし、且つ、使用時にマットレスから外れ難く、しかも、患者がマットレス上に横たわったときに良好な使用感が得られるマットレス用保護カバーを提供することにある。
【課題を解決するための手段】
【０００７】
上記の目的を達成するために、本考案は、保護カバーの材質及び形状に工夫を凝らしたことを特徴とする。
【０００８】
具体的には、患者の寝姿勢時の身長方向に沿って延びるマットレスを覆って保護するマットレス用保護カバーにおいて次のような解決手段を講じた。
【０００９】
すなわち、第１の考案では、一枚の防水性ポリマーシートで形成され、上記マットレスの上面を覆う表面部と、該表面部外周縁に一体に連続し上記マットレスの外側面を覆う側面部とを備え、上記表面部及び側面部により裏側に開口する収容部が形成され、該収容部に上記マットレスが収容されるようになっていることを特徴とする。
【００１０】
第２の考案では、第１の考案において、上記マットレスの長手方向両端部に対応する側面部の端縁には、上記マットレス下面を覆う折返部が一体に連続して設けられていることを特徴とする。
【００１１】
第３の考案では、第１又は第２の考案において、上記側面部は、上記マットレスの長手方向両端部で該長手方向と直交する幅方向に延びる一対の第１側面部と、上記マットレスの上記幅方向両端部で長手方向に延びる一対の第２側面部とからなり、上記第１側面部の上記幅方向両端部と上記第２側面部の上記長手方向両端部とを互いに重ね合わせて当該重合部分を固定していることを特徴とする。
【００１２】
第４の考案では、第３の考案において、上記第１側面部及び上記第２側面部は、上下の複数箇所で互いに溶着されていることを特徴とする。
【考案の効果】
【００１３】
第１の考案では、保護カバーが防水性ポリマーシートで形成されているので、失禁による尿がマットレス側に染み込まず、保護カバー上の尿を拭き取るだけでマットレスから保護カバーを取り外すことなくそのまま使用することができる。また、マットレスに臭いが付着するのを防止するために定期的に保護カバーを取り替える際、保護カバー下面の開口をマットレスに対応させて当該マットレスを上記保護カバー下面の開口を通過させるだけよく、しかも、マットレスに対して保護カバーを一枚取り替えるだけでよく、特許文献１の如き３枚のシートを取り替える必要がないので、取替え作業が容易である。さらに、防水性ポリマーシートは伸縮性があるので、保護カバーは、患者がマットレスに横たわったり、介護用ベッドで背上げ等を行っても、患者の形状やマットレスの形状に沿って変形するようになる。したがって、特許文献１の如きゴムバンド等を追加で取り付けなくとも体圧分散性を低下させず、しかも介護用ベッドで背上げ等を行ってもマットレスから外れない保護カバーにすることができる。それに加えて、介護用ベッドで背上げ等を行っても、マットレス上に一枚の保護カバーしかないので、特許文献１の如き複数のシートが互いにずれて患者が使用時に違和感を感じるといったことがなく、良好な使用感を得ることができる。
【００１４】
第２の考案では、マットレスに対して保護カバーがマットレスの長手方向に移動しようとすると、折返部が上記マットレスの長手方向のいずれか一方の端部に引っ掛かるので、介護用ベッドで背上げ等を行っても、マットレスに対する保護カバーの相対移動を少なくでき、良好な使用感を得ることができる。
【００１５】
第３の考案では、側面部に形成された４つの重合部分により当該側面部が型くずれし難くなる。したがって、マットレスに対する保護カバーの相対移動が少なくなり、保護カバーをマットレスに確実に固定することができる。
【００１６】
第４の考案では、第１側面部及び第２側面部の重合部分に、上下の複数箇所で隙間が形成されるようになる。したがって、エアマットレスの各セルから延びる配管等を上記隙間に通過させることによって、エアマットレス周りの配管等を無理な姿勢で取り回すといったことを回避して、機器の劣化の進行を極力抑えることができる。
【図面の簡単な説明】
【００１７】
【図１】実施形態に係るマットレス用保護カバーで覆われたマットレスを載置するベッドの斜視図である。
【図２】図１のＡ部拡大図である。
【図３】本考案の実施形態に係るマットレス用保護カバーの製造工程を示し、（ａ）は、防水性ポリマーシートの不要部分を切断した直後の状態を、（ｂ）は、保護カバーを製造している途中の状態を、（ｃ）は、保護カバーを製造した後の状態を示す工程図である。
【図４】実施形態の変形例１に係る図３（ａ）相当図である。
【図５】実施形態の変形例２に係る図３（ａ）相当図である。
【考案を実施するための形態】
【００１８】
以下、本考案の実施形態を図面に基づいて詳細に説明する。尚、以下の好ましい実施形態の説明は、本質的に例示に過ぎない。
【００１９】
図１は、本考案の実施形態に係るマットレス用保護カバー１で覆われた略矩形板状のマットレス１０を示し、該マットレス１０は介護用ベッド１１に載置されている。上記保護カバー１は、ウレタンフィルムからなる防水性ポリマーシートを用いて形成されたものであり、マットレス１０上に横たわる患者の失禁等から当該マットレス１０を保護するためのものである。
【００２０】
ここで、上記マットレス１０は、患者の寝姿勢時の身長方向に沿って延びる所謂圧切替型エアマットレスであり、図示しないが、独立した複数のセルが患者の寝姿勢時の身長方向に並列され、各セルの膨張・収縮により横たわった患者に対して押圧と押圧の解除とを繰り返すようになっている。上記マットレス１０には、各セルに空気を給排する配管６ａにより制御ボックス６が接続されていて、該制御ボックス６は、上記介護用ベッド１１のフレーム１１ｂに取り付けられたヘッドボード１１ａに引っ掛けられている。尚、上記マットレス１０は、上述の圧切替型エアマットレスでなく、例えば、板状のウレタンフォームと、該ウレタンフォームを覆う表皮材からなる静止型マットレスであってもよい。
【００２１】
上記保護カバー１は、図３（ｃ）に示すように、上記マットレス１０の上面を覆う略長方形状の表面部２と、該表面部２外周縁に一体に連続し上記マットレス１０の外側面を覆う側面部３とを備えている。上記保護カバー１は、上記表面部２及び側面部３により裏面に開口する収容部４が形成されていて、該収容部４に上記マットレス１０が収容されるようになっている。
【００２２】
上記側面部３は、上記マットレス１０の長手方向両端部に対応する一対の第１側面部３ａと幅方向両端部に対応する一対の第２側面部３ｂとからなり、上記第１側面部３ａは、マットレス１０の長手方向に直交する幅方向に延び、上記第２側面部３ｂは、上記マットレス１０の長手方向に延びている。そして、上記第１側面部３ａの幅方向両端部と上記第２側面部３ｂの長手方向両端部とを互いに重ね合わせて当該重合部分を上下に複数箇所で溶着し、複数の溶着部Ｗを形成することにより、上記第１側面部３ａと上記第２側面部３ｂとを互いに固定していて、図１に示すように、上記マットレス１０と制御ボックス６との間の配管６ａを上記各溶着部Ｗの間に形成された隙間Ｓに通過させるようになっている。したがって、マットレス１０の各セルから延びる配管６ａを上記隙間Ｓに通過させることによって、マットレス１０周りの配管等を無理な姿勢で取り回すといったことを回避して、機器の劣化の進行を極力抑えることができる。
【００２３】
上記第１側面部３ａ下端縁には、上記マットレス１０下面を覆う折返部５が一体に連続して設けられている。該折返部５は、上記マットレス１０幅方向に延びていて、幅方向両端部と上記第２側面部３ｂの長手方向両端側下部とを互いに重ね合わせて当該重合部分をマットレス１０長手方向に複数箇所で溶着し、複数の溶着部Ｗを形成することにより、上記第２側面部と上記折返部５とを互いに固定している。
【００２４】
尚、上記第１側面部３ａ及び第２側面部３ｂと、上記折返部５及び第２側面部３ｂとを互いに溶着により固定しているが、例えば、互いに縫い付けることにより固定してもよい。
【００２５】
次に、上記マットレス用保護カバー１の製造方法について説明する。
【００２６】
まず、図３（ａ）に示すように、略長方形状の防水性ポリマーシートを１枚用意し、四隅の不要部分を矩形状に切断加工により取り除く。
【００２７】
次に、図３（ｂ）に示すように、不要部分を取り除いた防水性ポリマーシートの長手方向両端側を第１側面部３ａ及び折返部５となるように下方に折返し、且つ、防水性ポリマーシートの幅方向両端側を第２側面部３ｂとなるように下方に折り返す。
【００２８】
そして、上記第１側面部３ａの幅方向両端部と上記第２側面部３ｂの長手方向両端部とを互いに重ね合わせて当該重合部分を上下に複数箇所で溶着する。また、上記折返部５の幅方向両端部と上記第２側面部３ｂの長手方向両端側下部とを互いに重ね合わせて当該重合部分をマットレス１０の長手方向に複数箇所で溶着して保護カバー１が完成する。
【００２９】
以上より、本考案の実施形態によれば、マットレス用保護カバー１が防水性ポリマーシートで形成されているので、失禁による尿がマットレス１０側に染み込まず、保護カバー１上の尿を拭き取るだけでマットレス１０から保護カバー１を取り外すことなくそのまま使用することができる。また、マットレス１０に臭いが付着するのを防止するために定期的に保護カバー１を取り替える際、保護カバー１下面の開口をマットレス１０に対応させて当該マットレス１０を上記保護カバー１下面の開口を通過させるだけでよく、しかも、マットレス１０に対して保護カバー１を一枚取り替えるだけでよく、特許文献１の如き３枚のシートを取り替える必要がないので、取替え作業が容易である。さらに、防水性ポリマーシートは伸縮性があるので、保護カバー１は、患者がマットレス１０に横たわったり、介護用ベッド１１で背上げ等を行っても、患者の形状やマットレスの形状に沿って変形するようになる。したがって、特許文献１の如きゴムバンド等を追加で取り付けなくとも体圧分散性を低下させず、しかも介護用ベッドで背上げ等を行ってもマットレス１０から外れない保護カバー１にすることができる。それに加えて、介護用ベッド１１で背上げ等を行っても、マットレス１０上に一枚の保護カバー１しかないので、特許文献１の如き複数のシートが互いにずれて患者が使用時に違和感を感じるといったことがなく、良好な使用感を得ることができる。
【００３０】
また、マットレス１０に対して保護カバー１がマットレス１０の長手方向に移動しようとすると、折返部５が上記マットレス１０の長手方向のいずれか一方の端部に引っ掛かるので、介護用ベッド１１で背上げ等を行っても、マットレス１０に対する保護カバー１の相対移動を少なくでき、良好な使用感を得ることができる。
【００３１】
また、側面部３に形成された４つの重合部分により当該側面部３が型くずれし難くなる。したがって、マットレス１０に対する保護カバー１の相対移動が少なくなり、保護カバー１をマットレス１０に確実に固定することができる。
【００３２】
図４は、本考案の実施形態の変形例１を示す。この変形例１は、以下の点が上記で詳述した実施形態と異なっている。すなわち、変形例１では、保護カバー１の四隅の一箇所において、第１側面部３ａ及び第２側面部３ｂの重合部分が溶着されていない。また、表面部２長手方向一端側には、略矩形状通気孔２ａが幅方向に離間して一対形成され、保護カバー１の長手方向一端側に位置する第１側面部３ａの略中央には、楕円形の通気孔８が形成されていて、上記通気孔２ａ、８により、エアマットレスの換気機能が阻害されないようになっている。
【００３３】
尚、上記変形例１に係る保護カバー１の製造方法は、上記防水性ポリマーシートの四隅の不要部分を矩形状に切断加工により取り除く際に、同時に上記通気孔２ａ及び通気孔８となる部分を切断加工により取り除く点と、保護カバー１の四隅の一箇所において、第１側面部３ａ及び第２側面部３ｂの重合部分を溶着しない点とを除いて上記実施形態の製造方法と同じなので、詳細な説明は省略する。
【００３４】
以上より、実施形態の変形例１によれば、上記実施形態と同様の効果が得られるとともに、保護カバー１の四隅の一箇所に大きな隙間Ｓが形成されるようになるので、当該隙間Ｓに配管６ａを通過させる際に、配管６ａが無理な姿勢となるような外力を加える必要がなく、配管６ａの劣化の進行を極力抑えることができる。さらに、上記通気孔２ａ、８により、エアマットレス使用時にエアマットレスの換気機能が阻害されないので、カビの発生や臭いの発生を抑制することができる。
【００３５】
図５は、本考案の実施形態の変形例２を示す。この変形例２では、以下の点が上記変形例１と異なっている。すなわち、変形例２では、上記第１側面部３ａに通気孔８が形成されておらず、また、上記表面部２には、マットレス１０幅方向に所定の間隔をあけた複数の略矩形状通気孔９が２列形成されている。
【００３６】
尚、上記変形例２に係る保護カバー１の製造方法は、上記通気孔９を表面部２に形成する以外は、上記実施形態の変形例１と同じなので、詳細な説明は省略する。
【００３７】
以上より、実施形態の変形例２によれば、上記実施形態の変形例１と同様の効果が得られるとともに、通気孔９が複数形成されているので、マットレス１０と保護カバー１との間のカビの発生や臭いの発生をさらに抑制することができる。
【００３８】
尚、本実施形態では、保護カバー１の材質をウレタンフィルムとしたが、ナイロン、ＥＶＡ、軟質塩化ビニール、或いは、ポリエチレンを用いて形成してもよい。
【００３９】
また、本実施形態では、第１側面部３ａの下端縁にのみ折返部５が一体に連続して設けられているが、第２側面部３ｂの下端縁にも折返部を一体に設けるようにしてもよい。
【００４０】
また、本実施形態では、第１側面部３ａの幅方向両端部と第２側面部３ｂの長手方向両端部とを互いに重ね合わせて当該重合部分を上下に複数箇所で溶着しているが、これに限らず、例えば、重合部分を面ファスナーを用いて上下に複数箇所で固定してもよいし、ホックを用いて上下に複数箇所で固定してもよい。
【００４１】
また、本実施形態の変形例１、２では、保護カバー１の四隅の一箇所において、第１側面部３ａ及び第２側面部３ｂの重合部分が溶着されていないが、四隅の二箇所以上の重合部分を溶着しないようにしてもよい。
【００４２】
また、本実施形態の変形例１、２では、通気孔８を保護カバー１の長手方向一端側に形成しているが、長手方向他端側に形成してもよい。
【産業上の利用可能性】
【００４３】
本考案は、例えば、介護施設等で使用されるマットレスを覆うマットレス用保護カバーに適している。
【符号の説明】
【００４４】
１        マットレス用保護カバー
２        表面部
３        側面部
３ａ        第１側面部
３ｂ        第２側面部
４        収容部
５        折返部
１０        マットレス
Ｗ        溶着部
【図１】
0003165593.tif 000003
【図２】
0003165593.tif 000004
【図３】
0003165593.tif 000005
【図４】
0003165593.tif 000006
【図５】
0003165593.tif 000007